(57)【要約】  心拍変動は脳幹を起源とする自律神経に支配されており、対象者自身が随意にコントロールすることは難しい。そのため、対象者の体動を推定するためには、微妙なゆらぎ解析等の周波数解析が必要であり、即時的な処理には適さない。一方、本実施形態によれば、睡眠状態推定装置１の演算ユニット３０は、呼吸波形の特徴量として対象者Ｍの呼吸波形の周期ごとの同一性に基づいて対象者の状態を推定する。呼吸変動は対象者Ｍ自身が随意にコントロールすることが可能であるため、対象者Ｍの呼吸波形の周期ごとの同一性に基づいて対象者Ｍの状態を推定することにより、対象者Ｍの体動をより詳細に分類することがより容易に可能となり、睡眠深度や体動等の対象者Ｍの状態を推定する精度を向上させることがより容易に可能となる。
2012063308.tif 000002
【特許請求の範囲】
【請求項１】
対象者の呼吸波形の特徴量として前記呼吸波形の周期ごとの同一性に基づいて前記対象者の状態を推定する状態推定ユニットを備えた睡眠状態推定装置。
【請求項２】
前記状態推定ユニットは、前記対象者の前記呼吸波形の周期ごとの同一性として、前記呼吸波形を任意の時間だけずらした波形と元の前記呼吸波形との同一性である自己相関性と、前記呼吸波形の周期ごとの最低値のゆらぎである再現性との少なくともいずれかに基づいて前記対象者の状態を推定する、請求項１に記載の睡眠状態推定装置。
【請求項３】
前記状態推定ユニットは、前記対象者の前記呼吸波形の前記特徴量として前記呼吸波形の周期、振幅、前記自己相関性及び前記再現性に基づいて前記対象者の状態を推定する、請求項２に記載の睡眠状態推定装置。
【請求項４】
前記状態推定ユニットは、前記呼吸波形の振幅、前記自己相関性及び前記再現性が、前記対象者の通常時と比較して変動していることを検出した場合は、前記対象者が座り直している状態であると推定する、請求項３に記載の睡眠状態推定装置。
【請求項５】
前記状態推定ユニットは、前記呼吸波形の振幅及び前記再現性が、前記対象者の通常時と比較して変動していることを検出した場合は、前記対象者が上方に手を伸ばしている状態であると推定する、請求項３又は４に記載の睡眠状態推定装置。
【請求項６】
前記状態推定ユニットは、前記呼吸波形の前記自己相関性及び前記再現性が、前記対象者の通常時と比較して変動していることを検出した場合は、前記対象者が会話をしている状態であると推定する、請求項３〜５のいずれか１項に記載の睡眠状態推定装置。
【請求項７】
前記状態推定ユニットは、前記呼吸波形の周期及び振幅が、前記対象者の通常時と比較して変動していることを検出した場合は、前記対象者が深呼吸をしている状態であると推定する、請求項３〜６のいずれか１項に記載の睡眠状態推定装置。
【請求項８】
前記状態推定ユニットは、前記呼吸波形の前記特徴量と前記特徴量ごとに設定された閾値とを比較することで前記対象者の状態を推定する、請求項１〜７のいずれか１項に記載の睡眠状態推定装置。
【請求項９】
前記状態推定ユニットは、前記対象者ごとに前記特徴量ごとの前記閾値を設定する、請求項８に記載の睡眠状態推定装置。
【請求項１０】
前記状態推定ユニットは、車両に搭乗した前記対象者の状態を推定し、前記車両の加速度に基づいて前記車両の車両挙動と前記対象者の体動とを判別しつつ前記対象者の状態を推定する、請求項１〜９のいずれか１項に記載の睡眠状態推定装置。
【請求項１１】
前記状態推定ユニットは、前記対象者の前記呼吸波形から前記対象者の呼吸方式が腹式呼吸であるか胸式呼吸であるかを判定することにより、前記対象者の睡眠深度を推定する、請求項１〜１０のいずれか１項に記載の睡眠状態推定装置。
【発明の詳細な説明】
【技術分野】
【０００１】
本発明は、睡眠状態推定装置に関し、特に対象者の状態を推定する睡眠状態推定装置に関する。
【背景技術】
【０００２】
睡眠時における対象者の状態を推定することにより、対象者の無呼吸症候群等の睡眠の質を推定する装置が提案されている。このような装置によれば、対象者の睡眠の質に応じて対象者に対し様々な処置を行うことが可能となる。例えば、特許文献１には、在床判定部を有し、在床判定部では、就寝者の心拍数が在床判定閾値を超えると在床していると判定され、在床判定閾値を下回ると離床していると判定される装置が開示されている。この在床／離床判定はメモリに記憶される。誤判定検出部では、在床判定部によって在床と判定された区間において心拍数の度数分布の尖度Ｋｗが所定値を超える場合、また在床判定部によって離床と判定された区間において心拍数の度数分布の尖度Ｋｗが所定値以下である場合、在床判定部による判定は誤判定であるとみなされる。
【先行技術文献】
【特許文献】
【０００３】
【特許文献１】特開２０１０−８８７２５号公報
【発明の概要】
【発明が解決しようとする課題】
【０００４】
ところで、上記のような技術では、在床と離床としか精度良く推定することができない。上記の技術では、ある区間の統計量である心拍数の度数分布の尖度を用いて、データベースと照合して在床か離床かを判断している。しかし、上記の技術では短い時間に起こった体動等は統計量からは判断することができない。例えば、上記の技術では体動において不随意と随意との区別がつかない。また、上記の技術では体動の種類を特定できず、例えば、会話や深呼吸等の意図的な呼吸について区別がつかない。また、上記の技術では体動が連続的になされた場合、例えば、対象者が無意識に身体を揺する動作については通常の体動と区別がつかない。【０００５】
本発明は、このような事情を考慮してなされたものであり、その目的は、対象者の体動をより詳細に分類することがより容易に可能となり、睡眠深度や体動等の対象者の状態を推定する精度を向上させることをより容易に実現する睡眠状態推定装置を提供することにある。
【課題を解決するための手段】
【０００６】
本発明は、対象者の呼吸波形の特徴量として呼吸波形の周期ごとの同一性に基づいて対象者の状態を推定する状態推定ユニットを備えた睡眠状態推定装置である。【０００７】
心拍変動は脳幹を起源とする自律神経に支配されており、対象者自身が随意にコントロールすることは難しい。そのため、対象者の体動を推定するためには、微妙なゆらぎ解析等の周波数解析が必要であり、即時的な処理には適さない。一方、この構成によれば、状態推定ユニットは、呼吸波形の特徴量として対象者の呼吸波形の周期ごとの同一性に基づいて対象者の状態を推定する。呼吸変動は対象者自身が随意にコントロールすることが可能であるため、対象者の呼吸波形の周期ごとの同一性に基づいて対象者の状態を推定することにより、対象者の体動をより詳細に分類することがより容易に可能となり、睡眠深度や体動等の対象者の状態を推定する精度を向上させることがより容易に可能となる。【０００８】
この場合、状態推定ユニットは、対象者の呼吸波形の周期ごとの同一性として、呼吸波形を任意の時間だけずらした波形と元の呼吸波形との同一性である自己相関性と、呼吸波形の周期ごとの最低値のゆらぎである再現性との少なくともいずれかに基づいて対象者の状態を推定するものとできる。【０００９】
この構成によれば、状態推定ユニットは、対象者の呼吸波形の周期ごとの同一性として、呼吸波形を任意の時間だけずらした波形と元の呼吸波形との同一性である自己相関性と、呼吸波形の周期ごとの最低値のゆらぎである再現性との少なくともいずれかに基づいて対象者の状態を推定する。これにより、簡単な処理により、睡眠深度や体動等の対象者の状態を推定する精度を向上させることが可能となる。【００１０】
この場合、状態推定ユニットは、対象者の呼吸波形の特徴量として呼吸波形の周期、振幅、自己相関性及び再現性に基づいて対象者の状態を推定するものとできる。【００１１】
この構成によれば、状態推定ユニットは、対象者の呼吸波形の特徴量として呼吸波形の周期、振幅、自己相関性及び再現性に基づいて対象者の状態を推定する。これにより、呼吸波形の周期、振幅、自己相関性及び再現性の４つの指標を組み合わせて対象者の状態を推定することになるため、睡眠深度や体動等の対象者の状態を推定する精度をさらに向上させることが可能となる。【００１２】
この場合、状態推定ユニットは、呼吸波形の振幅、自己相関性及び再現性が、対象者の通常時と比較して変動していることを検出した場合は、対象者が座り直している状態であると推定するものとできる。【００１３】
この構成によれば、状態推定ユニットは、呼吸波形の振幅、自己相関性及び再現性が、対象者の通常時と比較して変動していることを検出した場合は、対象者が座り直している状態であると推定する。本発明者は、対象者が座り直す状態のときは、対象者の呼吸波形の振幅、自己相関性及び再現性に変動が見られるとの知見を得た。このため、呼吸波形の振幅、自己相関性及び再現性が、対象者の通常時と比較して変動していることを検出した場合は、対象者が座り直している状態であると推定することにより、対象者が座り直している状態を精度良く推定することができる。【００１４】
また、状態推定ユニットは、呼吸波形の振幅及び再現性が、対象者の通常時と比較して変動していることを検出した場合は、対象者が上方に手を伸ばしている状態であると推定するものとできる。【００１５】
この構成によれば、状態推定ユニットは、呼吸波形の振幅及び再現性が、対象者の通常時と比較して変動していることを検出した場合は、対象者が上方に手を伸ばしている状態であると推定する。本発明者は、対象者が上方に手を伸ばす状態のときは、対象者の呼吸波形の振幅及び再現性に変動が見られるとの知見を得た。このため、呼吸波形の振幅及び再現性が、対象者の通常時と比較して変動していることを検出した場合は、対象者が上方に手を伸ばしている状態であると推定することにより、対象者が上方に手を伸ばしている状態を精度良く推定することができる。【００１６】
また、状態推定ユニットは、呼吸波形の自己相関性及び再現性が、対象者の通常時と比較して変動していることを検出した場合は、対象者が会話をしている状態であると推定するものとできる。【００１７】
この構成によれば、状態推定ユニットは、呼吸波形の自己相関性及び再現性が、対象者の通常時と比較して変動していることを検出した場合は、対象者が会話をしている状態であると推定する。本発明者は、対象者が会話をしている状態のときは、対象者の呼吸波形の自己相関性及び再現性に変動が見られるとの知見を得た。このため、呼吸波形の自己相関性及び再現性が、対象者の通常時と比較して変動していることを検出した場合は、対象者が会話をしている状態であると推定することにより、対象者が会話をしている状態を精度良く推定することができる。【００１８】
また、状態推定ユニットは、呼吸波形の周期及び振幅が、対象者の通常時と比較して変動していることを検出した場合は、対象者が深呼吸をしている状態であると推定するものとできる。【００１９】
この構成によれば、状態推定ユニットは、呼吸波形の周期及び振幅が、対象者の通常時と比較して変動していることを検出した場合は、対象者が深呼吸をしている状態であると推定する。本発明者は、対象者が深呼吸をしている状態のときは、対象者の呼吸波形の周期及び振幅に変動が見られるとの知見を得た。このため、呼吸波形の周期及び振幅が、対象者の通常時と比較して変動していることを検出した場合は、対象者が深呼吸をしている状態であると推定することにより、対象者が深呼吸をしている状態を精度良く推定することができる。【００２０】
また、状態推定ユニットは、呼吸波形の特徴量と特徴量ごとに設定された閾値とを比較することで対象者の状態を推定するものとできる。【００２１】
この構成によれば、状態推定ユニットは、呼吸波形の特徴量と特徴量ごとに設定された閾値とを比較することで対象者の状態を推定するため、簡単な処理により、睡眠深度や体動等の対象者の状態を推定することが可能となる。【００２２】
この場合、状態推定ユニットは、対象者ごとに特徴量ごとの閾値を設定するものとできる。【００２３】
この構成によれば、状態推定ユニットは、対象者ごとに特徴量ごとの閾値を設定する。このため、対象者ごとの体質や嗜好に対応して対象者の状態を推定することが可能となる。【００２４】
また、状態推定ユニットは、車両に搭乗した対象者の状態を推定し、車両の加速度に基づいて車両の車両挙動と対象者の体動とを判別しつつ対象者の状態を推定するものとできる。【００２５】
この構成によれば、状態推定ユニットは、車両に搭乗した対象者の状態を推定し、車両の加速度に基づいて車両の車両挙動と対象者の体動とを判別しつつ対象者の状態を推定する。このため、車両に搭乗した対象者の状態を車両挙動と体動とを判別しつつ精度良く推定することが可能となる。【００２６】
また、状態推定ユニットは、対象者の呼吸波形から対象者の呼吸方式が腹式呼吸であるか胸式呼吸であるかを判定することにより、対象者の睡眠深度を推定するものとできる。【００２７】
この構成によれば、状態推定ユニットは、対象者の呼吸波形から対象者の呼吸方式が腹式呼吸であるか胸式呼吸であるかを判定することにより、対象者の睡眠深度を推定する。呼吸方式が腹式呼吸であるか胸式呼吸であるかは、対象者の睡眠深度と密接な関係があるため、睡眠深度を推定する精度を向上させることができる。
【発明の効果】
【００２８】
本発明の睡眠状態推定装置によれば、対象者の体動をより詳細に分類することがより容易に可能となり、睡眠深度や体動等の対象者の状態を推定する精度を向上させることをより容易に実現することが可能となる。
【図面の簡単な説明】
【００２９】
【図１】実施形態に係る睡眠装置の構成を示すブロック図である。
【図２】図１の睡眠装置のシートに配置された呼吸センサを示す図である。
【図３】図１の睡眠装置のシートに配置された呼吸バンドを示す図である。
【図４】実施形態に係る睡眠装置の動作の概略を示すフローチャートである。
【図５】実施形態に係る睡眠装置の動作の詳細を示すフローチャートである。
【図６】呼吸波形の再現性の計測方法を示す図である。
【図７】呼吸波形の振幅の計測方法を示す図である。
【図８】呼吸波形の自己相関性の計測方法を示す図である。
【図９】体動及び車両挙動の種類ごとの呼吸波形の周期、振幅及び再現性を示す表である。
【図１０】呼吸波形の周期、振幅、自己相関性及び再現性の中で体動の種類ごとに特徴が現れる指標を示す表である。
【図１１】呼吸波形の特徴量により対象者の深呼吸を検出した例を示す図である。
【図１２】呼吸波形の特徴量により対象者の座り直しを検出した例を示す図である。
【図１３】呼吸波形の特徴量により車両のブレーキを検出した例を示す図である。
【図１４】呼吸波形の特徴量により車両のレーンチェンジを検出した例を示す図である。
【図１５】呼吸波形を用いたフィルタリングによるノイズリダクションの効果を示す図である。
【図１６】睡眠深度と計測位置の分布、計測位置の分散及び呼吸方式との関係を示す表である。
【図１７】呼吸波形と呼吸方式と呼吸センサによる検出位置との関係を示す図である。
【図１８】睡眠段階の変化と呼吸方式との関係を示す図である。
【図１９】睡眠段階の変化と呼吸方式の変化との関係を示すグラフである。
【図２０】睡眠段階の変化と呼吸波形の特徴量を算出する区間とを示す図である。
【図２１】睡眠段階の変化と呼吸方式との関係を示す図である。
【図２２】睡眠段階の変化と呼吸方式の理論的変化とを示す表である。
【図２３】図２０の特徴量を算出する区間同士における睡眠段階が変化する比率を示すグラフである。
【図２４】図２０の特徴量を算出する区間同士における睡眠段階が変化する比率を示す表である。
【図２５】図２４の腹式呼吸で睡眠段階が変化する場合ごとの図２０の区間Ｐ１／区間Ｐ２の値を示すグラフである。
【図２６】図２５の睡眠段階２から睡眠段階３に深くなる場合と睡眠段階３から睡眠段階２に浅くなる場合との平均値を示すグラフである。
【図２７】図２６の２標本による等分散を仮定した有意差検定を示す表である。
【発明を実施するための形態】
【００３０】
以下、図面を参照して本発明の実施形態に係る睡眠状態推定装置について説明する。本実施形態の睡眠状態推定装置は、車両等に搭載され、対象者の睡眠深度や体動等の睡眠状態を推定し、様々なアプリケーションプログラムによる対処を行なうための装置である。図１に示すように、本実施形態の睡眠状態推定装置１は、シート１０、呼吸センサ１２、加速度センサ１４、Ｉ／Ｆ２０、演算ユニット３０及びＤＢ４０を備えている。
【００３１】
呼吸センサ１２は非侵襲で対象者Ｍの呼吸を測定するセンサである。呼吸センサ１２は、具体的には図１及び図２に示すように、シート１０の座面や背もたれに複数設置された圧力センサにより構成される。図２に示すように、呼吸センサ１２は、シート１０に対象者Ｍの胸部の動きを測定する圧力センサ１３ａ、対象者Ｍの腹部の動きを測定する圧力センサ１３ｂ及び対象者Ｍの座面への圧力を測定する圧力センサ１３ｃを備えている。
【００３２】
また、図３に示すように、シート１０は対象者Ｍの呼吸を測定する呼吸バンド１６，１８を備えていて良い。呼吸バンド１６，１８は、対象者Ｍの呼吸を検出可能な歪ゲージバンドである。呼吸バンド１６は対象者Ｍの胸郭の動きを検出する。呼吸バンド１８は対象者Ｍの腹腔の動きを検出する。また、シート１０は、心拍センサや脳波センサを別途備えていても良い。
【００３３】
図１に戻り、シート１０は車両の加速度を検出する加速度センサ１４を備えている。加速度センサ１４は、車両に予め搭載されたものを利用できる。あるいは、加速度センサ１４は、睡眠状態推定装置１に用意されたものを利用できる。
【００３４】
呼吸センサ１２及び加速度センサ１４の検出値は、Ｉ／Ｆ２０を介して演算ユニット３０で処理される。演算ユニット３０では、個々の対象者Ｍごとのデータが記録されたＤＢ４０を参照しつつ、対象者Ｍの睡眠深度や、対象者Ｍの深呼吸、会話、座り直し、上方への両手伸ばし、左右いずれかの臀部を浮かせる等の体動がなされているか否かの対象者Ｍの睡眠状態を推定する。
【００３５】
以下、本実施形態の睡眠状態推定装置１の動作について説明する。まず、動作の概略について説明する。図４に示すように、睡眠状態推定装置１の演算ユニット３０は、呼吸センサ１２等による呼吸波形の後述するような特徴量が正常か異常であるかを判定する（Ｓ０１）。呼吸波形の特徴量が異常であるときは（Ｓ０１）、演算ユニット３０は呼吸センサ１２及び加速度センサ１４の検出値に基づいて、当該呼吸波形の特徴量の異常が、対象者Ｍの深呼吸等の体動に起因しているものか、あるいは車両のブレーキ等の車両挙動に起因しているものかを判定する（Ｓ０２）。当該呼吸波形の特徴量の異常が車両挙動に起因しているものである場合は（Ｓ０２）、演算ユニット３０は当該呼吸波形の特徴量の異常は車両挙動に起因しており、対象者Ｍの体動を推定することは不可能と判定する（Ｓ０３）。これらＳ０１〜Ｓ０３の動作は、呼吸センサ１２及び加速度センサ１４の出力波形でフィルタ処理を行なう。
【００３６】
呼吸波形の特徴量が正常であるときは（Ｓ０１）、演算ユニット３０は、対象者Ｍの眠りが深いか、眠りが深い以外の状態であるかを判定する（Ｓ０４）。演算ユニット３０は対象者Ｍの眠りが深いと判定したときは、その旨を出力する（Ｓ０４，Ｓ０５）。呼吸波形の特徴量が異常であり（Ｓ０１）、当該呼吸波形の特徴量の異常が対象者Ｍの体動に起因しているとき（Ｓ０２）、あるいは呼吸波形の特徴量が正常であり（Ｓ０１）、対象者Ｍの状態が眠りが深い以外の状態であるときは（Ｓ０４）、演算ユニット３０は、対象者Ｍが覚醒しているか眠りが浅いかを判定する（Ｓ０６）。演算ユニット３０は、対象者Ｍが覚醒しているか眠りが浅いかの判定結果を出力する（Ｓ０６〜Ｓ０８）。これらＳ０４〜Ｓ０８の動作は、演算ユニット３０はＤＢ４０に記憶された学習データを参照し、またはＤＢ４０に新たな学習データを記憶させつつ対象者Ｍの睡眠状態の推定を行なう。
【００３７】
なお、本実施形態では、上記Ｓ０４において、演算ユニット３０は対象者Ｍが覚醒しているか寝ているかの判定を行なうものとできる。この場合、対象者Ｍが寝ていると判定された場合は（Ｓ０４）、演算ユニットは上記Ｓ０５にて対象者Ｍが寝ている旨の演算結果を出力する。呼吸波形の特徴量が正常であり（Ｓ０１）、対象者Ｍが覚醒しているとき（Ｓ０４）、あるいは呼吸波形の特徴量が異常であり（Ｓ０１）、当該呼吸波形の特徴量の異常が対象者Ｍの体動に起因しているときは（Ｓ０２）、あるいは演算ユニット３０は、対象者Ｍが覚醒している旨の演算結果を出力する。
【００３８】
以下、本実施形態の睡眠状態推定装置１の動作の詳細について説明する。図５に示すように、演算ユニット３０は、対象者Ｍを認識し、後述する呼吸波形の特徴量である再現性、振幅、周期及び自己相関性の閾値ａ〜ｄを設定する（Ｓ１０１）。これらの閾値ａ〜ｄは、対象者Ｍごとに設定され、ＤＢ４０に記録される。
【００３９】
演算ユニット３０は、加速度センサ１４の検出値を用い、加速度のＸ成分（車両の前後方向）が１．０ｍ／ｓ２等の閾値を超えているか否かを判定する（Ｓ１０２）。演算ユニット３０は、加速度センサ１４の検出値を用い、加速度のＹ成分（車両の左右方向）が１．０ｍ／ｓ２等の閾値を超えているか否かを判定する（Ｓ１０３）。
【００４０】
加速度のＸ成分及びＹ成分のいずれかが１．０ｍ／ｓ２等の閾値を超えているときは（Ｓ１０２，Ｓ１０３）、演算ユニット３０は、呼吸センサ１２による検出値を車両ノイズと推定する（Ｓ１０４）。演算ユニット３０は、加速度のＸ成分及びＹ成分のいずれも１．０ｍ／ｓ２等の閾値以下のときは（Ｓ１０２，Ｓ１０３）、演算ユニット３０は、呼吸センサ１２による検出値から、特徴量として再現性を算出する（Ｓ１０５）。
【００４１】
再現性とは、呼吸波形の周期ごとの最低値のゆらぎである。図６に示すような呼吸波形が呼吸センサ１２により検出されていたとすると、呼吸波形の周期ごとの最低値は、α、β及びγとなる。平均値μは、μ＝｛（α−β）＋（β−γ）｝／２で算出される。再現性Ｆは、Ｆ＝｛（α−β−μ）２＋（β−γ−μ）２｝１／２で算出される。
【００４２】
図５に戻り、演算ユニット３０は、再現性Ｆが閾値ａを超えているか否かを判定する（Ｓ１０６）。再現性Ｆが閾値ａを超えているときは（Ｓ１０６）、演算ユニット３０は、対象者Ｍは覚醒していると推定し、後述するように対象者Ｍの体動を識別する（Ｓ１１３）。
【００４３】
再現性Ｆが閾値ａ以下であるときは（Ｓ１０６）、演算ユニット３０は、呼吸センサ１２による検出値から、特徴量として振幅を算出する（Ｓ１０７）。図７に示すように、呼吸波形の振幅は、直前の一周期の呼吸波形の最低値と最高値との差から求められる。
【００４４】
図５に戻り、演算ユニット３０は、振幅が閾値ｂを超えているか否かを判定する（Ｓ１０８）。振幅が閾値ｂを超えているときは（Ｓ１０８）、演算ユニット３０は、対象者Ｍは覚醒していると推定し、後述するように対象者Ｍの体動を識別する（Ｓ１１３）。
【００４５】
再現性Ｆが閾値ａ以下であるときは（Ｓ１０８）、演算ユニット３０は、呼吸センサ１２による検出値から、特徴量として周期を算出する（Ｓ１０９）。演算ユニット３０は、周期が閾値ｃを超えているか否かを判定する（Ｓ１１０）。周期が閾値ｃを超えているときは（Ｓ１１０）、演算ユニット３０は、対象者Ｍは覚醒していると推定し、後述するように対象者Ｍの体動を識別する（Ｓ１１３）。
【００４６】
周期が閾値ｃ以下のときは（Ｓ１１０）、演算ユニット３０は、特徴量として自己相関性を算出する（Ｓ１１１）。自己相関性とは、呼吸波形を任意の時間だけずらした波形と元の呼吸波形との同一性である。例えば、図８に示すように、呼吸センサ１２により検出された呼吸波形を２秒、５秒あるいは１〜３周期だけずらし、すらした波形と元の呼吸波形との相違を数値化することにおり、自己相関性は算出される。自己相関性については、例えば呼吸波形をある周期ずらした波形と元の呼吸波形との相違を数値化したものと、呼吸波形を異なる周期ずらした波形と元の呼吸波形との相違を数値化したものとを組み合わせて、両者で相違があったときに、自己相関性に変化が有ったものとすることで、検出の精度を向上させることができる。
【００４７】
図５に戻り、演算ユニット３０は、自己相関性が閾値ｄを超えているか否かを判定する（Ｓ１１２）。自己相関性が閾値ｄを超えているときは（Ｓ１１２）、演算ユニット３０は、対象者Ｍは覚醒していると推定し、後述するように対象者Ｍの体動を識別する（Ｓ１１３）。自己相関性が閾値ｄ以下のときは（Ｓ１１２）、演算ユニット３０は、対象者Ｍは睡眠状態であると推定し、後述するように対象者Ｍの睡眠段階と体動とを識別する（Ｓ１１４）。
【００４８】
以下、対象者Ｍの体動を識別する手法について説明する。本発明者は、対象者Ｍの呼吸波形の振幅、周期、自己相関性及び再現性を組み合わせて利用することで、かなりの高確率で対象者Ｍの体動を推定可能であるという知見を得た。例えば、図９に示すように、対象者Ｍの深呼吸等の体動や、ブレーキ等の車両挙動によって、対象者Ｍの呼吸波形の振幅、再現性等にはかなりの相違が見られることが判る。
【００４９】
そのため、本実施形態では、対象者Ｍの呼吸波形の振幅、周期、自己相関性及び再現性を組み合わせて利用することで対象者Ｍの体動を推定する。図１０に示すように、対象者Ｍが座り直すときは、呼吸波形の振幅、自己相関性及び再現性に変化が現れる。対象者Ｍが上方に手を伸ばすときは、呼吸波形の振幅及び再現性に変化が現れる。対象者Ｍが会話をするときは、呼吸波形の自己相関性及び再現性に変化が現れる。対象者Ｍが深呼吸をするときは、呼吸波形の周期及び振幅に変化が現れる。本発明者は、他にも対象者Ｍが脚を組み替えたり欠伸をしたりする体動についても、呼吸波形の振幅、自己相関性等の特徴量を組み合わせて利用することにより、これらの体動を精度良く検出することが可能であるとの知見を得た。
【００５０】
図１１に示す対象者Ｍが深呼吸を３回した場合の呼吸波形の特徴量の変化について説明する。各波形は、上から呼吸波形の生波形、周期、振幅、２周期前の波形と現在の呼吸波形との自己相関性、３周期前の波形と現在の呼吸波形との自己相関性及び再現性をそれぞれ示す。周期、振幅、自己相関性及び再現性については、比較しやすいように算出された数値を正規化し、数値が０のときは通常から変化が無く、数値が０を超えるときは通常から変化が有ることを示す。正規化された数値が１を超える場合には１を上限値とする。図１１に示すように、実線でしめす通常時に対して、破線でしめす深呼吸時には、呼吸波形の周期及び振幅に顕著な相違が見られる。
【００５１】
同様に、図１２に示す対象者Ｍが２回座り直した場合の呼吸波形の特徴量の変化について説明する。図１２に示すように、実線でしめす通常時に対して、破線でしめす座り直し時には、呼吸波形の振幅、自己相関性及び再現性に顕著な相違が見られる。一方、呼吸波形の周期については、顕著な相違が見られない。
【００５２】
図１３及び図１４に、同様に車両が６０ｋｍ／ｈからブレーキをかけて停止することを６回繰り返したときと、車線変更を６０ｋｍ／ｈで６回繰り返したときとの呼吸波形及びその特徴量についてそれぞれ示す。図１３及び図１４から、車両挙動に変動があったときは、対象者Ｍの呼吸波形とその特徴量に変動が見られることが判る。したがって、車両において本実施形態の睡眠状態推定装置１を適用することで、対象者Ｍの深呼吸、会話、座り直し及び両手伸ばし（伸び）等の体動を分類でき、車両のブレーキ、車線変更、シフトダウン及びチョッピー路等の車両挙動を分類することができる。
【００５３】
さらに本実施形態では、対象者Ｍの呼吸波形とその特徴量とに加えて、加速度センサ１４による検出値も利用してノイズを除去することで、対象者Ｍの状態を検出する精度を向上させる。例えば、図１５に示すように、現実には対象者Ｍは覚醒（Ｗ）している場合に、推定器としての演算ユニット３０は対象者Ｍの睡眠深度が浅いと誤った推定結果が出た場合であっても、呼吸波形により体動が推定されていれば、対象者Ｍが覚醒している可能性が高いため、推定結果を修正可能である。
【００５４】
あるいは、現実には対象者Ｍの睡眠深度が浅い場合に、推定器としての演算ユニット３０は対象者Ｍの睡眠深度が深いと誤った推定結果が出た場合であっても、呼吸波形により車両挙動が推定されているか、加速度センサ１４により車両挙動が検出されていれば、呼吸波形により睡眠深度が深いと推定した推定結果の信頼性は低いと判断でき、誤った推定結果の理由の検証に利用できる。呼吸波形や加速度センサ１４により、対象者Ｍの体動や車両挙動が検出できなかった場合は、誤った推定結果を修正することができない場合もあり得るが、対象者Ｍの体動や車両挙動を常に検出し続けることにより、推定結果を修正して推定の精度を向上させることができる。
【００５５】
また、本実施形態では、シート１０に設けられた複数の呼吸センサ１２の検出位置による一次フィルターを設け、眠りの状態が深いか浅いかを大分類する。一般的な睡眠時の呼吸特徴として、図１６に示すように、深い眠りの状態では腹式呼吸が多くなり、浅い眠りの状態では胸式呼吸が多くなる。そのため、本実施形態では、シート１０に設けられた複数の呼吸センサ１２の検出位置から、対象者Ｍの呼吸方式が腹式呼吸か胸式呼吸かを判定して、対象者Ｍの眠りの状態が深いか浅いかの分類を高精度に実施する。また、深い睡眠段階では人間の体動が安定（安静）になる傾向があることから、計測位置の分散で睡眠深度を推定することも可能である。
【００５６】
呼吸方式には、大別して胸式呼吸と腹式呼吸とがあり、無意識には両者の要素が混ざり合っていることが多い。一般的に対象者Ｍの心の状態は呼吸と関わりが強く、心身が緊張状態にあると呼吸は浅く短くなる。つまり、緊張感や不安感があると人間は無意識の内に胸式呼吸になり易い。逆に考えると、就寝中は全身の緊張がほぐれてリラックスした状態であるため、深い睡眠状態となると腹式呼吸が支配的となると言われる。また、胸式呼吸と腹式呼吸とでは、一回に出入りする空気の量が数倍異なり、胸式呼吸では５００ｍｌであるのに対し、腹式呼吸では最大で２０００ｍｌとなる。これらを鑑みると、可観測な生理指標の１つである呼吸が、眠りが深くなると周波数が活動時や浅い眠りのときと比較して周波数が低く、ゆっくりとなることも裏付けられる。
【００５７】
そこで、本実施形態では、図１７に示すように、呼吸センサ１２の圧力センサ１３ａ，１３ｂを少なくともシート１０の上下段に配置し、対象者Ｍの胸部と腹部とを計測可能として、対象者Ｍの腹式呼吸ａ及び胸式呼吸ｂの呼吸形式の変化で、深い眠りとその他の状態とに分類する。本実施形態では、図３に示すような呼吸バンド１６，１８を利用しても良い。具体的には、睡眠状態推定装置１の演算ユニット３０は、一回あるいは呼吸ごとの腹式呼吸と胸式呼吸との振幅差又は位相差を算出し、３０秒間の平均値を取り、３０秒の処理区間で変動係数（Coefficient  of  variation）を求め、胸式と腹式の大小関係を比較し、上記処理区間で微分積分を行い、ベクトルを算出する。
【００５８】
以下、睡眠段階変化と呼吸方式との関係について、さらに説明する。図１８において、対象者の腹式呼吸ａ、胸式呼吸ｂ及び睡眠段階ｄが示されている。図１８に示すように、睡眠段階ｄが変化するたびに、腹式呼吸ａと胸式呼吸ｂとが拮抗していることが判る。
【００５９】
このように睡眠段階の変化とその前後区間の呼吸方式の変化とに相関が確認されている。しかし、呼吸センサ１２の検出値の差分をそのまま利用して変化を求めたのでは、呼吸センサ１２の変更や、出力ゲインの変更等で数値が安定しないことが予想される。そのため、本実施形態では、比率を用いることで、この変更に対応する。例えば、図１９に示すように、胸式呼吸に対する腹式呼吸の割合（腹式／胸式）を横軸に示し、その割合の頻度を縦軸に示すと、起きているときは胸式呼吸の割合が大きく、眠りが深くなるにつれて腹式呼吸の割合が大きくなることが判る。また、起きているときは、腹式／胸式の標準偏差が大きく、逆に眠っているときは、腹式／胸式の標準偏差が小さいことが判る。
【００６０】
ここで、図２０に示すような区間を定義する。３０秒間ごとの区間が順に区間Ｐ１〜Ｐ３と定義される。また、区間Ｐ１，Ｐ２にまたがる区間が区間Ｐ４と定義され、区間Ｐ２，Ｐ３にまたがる区間が区間Ｐ５と定義される。なお、図２０において、睡眠段階の数値の変化は単なる例示であり、実際のデータとは関係が無い。また、図２１に示すような腹式呼吸ａ，胸式呼吸ｂ及び睡眠段階ｄの観測値が得られている。
【００６１】
図２１から、３０秒間ごとの傾向として、図２２に示すように、覚醒から浅い眠りのときは、腹式呼吸ａ及び胸式呼吸ｂの両方が下降する傾向がある。浅い眠りから深い眠りに移行するときは、胸式呼吸ｂが下降し、腹式呼吸が上昇する傾向がある。浅い眠りから覚醒に移行するときは、腹式呼吸ａ及び胸式呼吸ｂの両方が上昇する傾向がある。深い眠りから浅い眠りに移行するときは、胸式呼吸ｂが上昇し、腹式呼吸が下降する傾向がある。
【００６２】
図２０に定義された区間Ｐ１〜Ｐ５ごとの、腹式呼吸ａ及び胸式呼吸ｂの割合の変動を図２３のグラフに示し、数値を図２４の表に示す。図２３中で、胸式呼吸の区間Ｐ２に対する区間Ｐ１の比率は、ｂ（Ｐ１／Ｐ２）で示され、腹式呼吸の区間Ｐ３に対する区間Ｐ２の比率は、ａ（Ｐ２／Ｐ３）で示される。また、図２５に、腹式呼吸の区間Ｐ２に対する区間Ｐ１の比率について、睡眠段階の変化ごとに示す。
【００６３】
ここで、腹式呼吸の区間Ｐ２に対する区間Ｐ１の比率について（ａ（Ｐ１／Ｐ２））、睡眠段階が浅い眠りから深い眠りに変化した場合と、睡眠段階が深い眠りから浅い眠りに変化した場合とに着目して、統計的なデータの有意差検定を行なう。図２６及び図２７に示すように、腹式呼吸の区間Ｐ２に対する区間Ｐ１の比率について（ａ（Ｐ１／Ｐ２））、睡眠段階が浅い眠りから深い眠りに変化した場合には平均値が約０．９５、分散が０．０２８となり、睡眠段階が深い眠りから浅い眠りに変化した場合には平均値が約１．０８、分散が０．０９４となった。これらのデータは、０．０５水準で有意であることが判る。
【００６４】
これらより、本実施形態では、簡単な腹式呼吸及び胸式呼吸の変化から睡眠段階を推定することが可能であることが判る。呼吸方法の変化、例えば、胸式呼吸に対する腹式呼吸の割合（腹式／胸式）を用いることで睡眠段階の深い睡眠やその他の状態の変化を捉えることができる。また、胸式呼吸に対する腹式呼吸の割合（腹式／胸式）の分散（標準偏差）を用いることで、睡眠段階の覚醒状態及び睡眠状態の分離精度の向上が図れる。
【００６５】
心拍変動は脳幹を起源とする自律神経に支配されており、対象者自身が随意にコントロールすることは難しい。そのため、対象者の体動を推定するためには、微妙なゆらぎ解析等の周波数解析が必要であり、即時的な処理には適さない。一方、本実施形態によれば、睡眠状態推定装置１の演算ユニット３０は、呼吸波形の特徴量として対象者Ｍの呼吸波形の周期ごとの同一性に基づいて対象者の状態を推定する。呼吸変動は対象者Ｍ自身が随意にコントロールすることが可能であるため、対象者Ｍの呼吸波形の周期ごとの同一性に基づいて対象者Ｍの状態を推定することにより、対象者Ｍの体動をより詳細に分類することがより容易に可能となり、睡眠深度や体動等の対象者Ｍの状態を推定する精度を向上させることがより容易に可能となる。
【００６６】
また、本実施形態によれば、睡眠状態推定装置１の演算ユニット３０は、対象者Ｍの呼吸波形の周期ごとの同一性として、呼吸波形を任意の時間だけずらした波形と元の呼吸波形との同一性である自己相関性と、呼吸波形の周期ごとの最低値のゆらぎである再現性との少なくともいずれかに基づいて対象者Ｍの状態を推定する。これにより、簡単な処理により、睡眠深度や体動等の対象者の状態を推定する精度を向上させることが可能となる。
【００６７】
また、本実施形態によれば、睡眠状態推定装置１の演算ユニット３０は、対象者Ｍの呼吸波形の特徴量として呼吸波形の周期、振幅、自己相関性及び再現性に基づいて対象者Ｍの状態を推定する。これにより、呼吸波形の周期、振幅、自己相関性及び再現性の４つの指標を組み合わせて対象者Ｍの状態を推定することになるため、睡眠深度や体動等の対象者Ｍの状態を推定する精度をさらに向上させることが可能となる。
【００６８】
また、本実施形態によれば、睡眠状態推定装置１の演算ユニット３０は、呼吸波形の振幅、自己相関性及び再現性が、対象者Ｍの通常時と比較して変動していることを検出した場合は、対象者Ｍが座り直している状態であると推定する。本発明者は、対象者Ｍが座り直す状態のときは、対象者Ｍの呼吸波形の振幅、自己相関性及び再現性に変動が見られるとの知見を得た。このため、呼吸波形の振幅、自己相関性及び再現性が、対象者Ｍの通常時と比較して変動していることを検出した場合は、対象者Ｍが座り直している状態であると推定することにより、対象者Ｍが座り直している状態を精度良く推定することができる。
【００６９】
また、睡眠状態推定装置１の演算ユニット３０は、呼吸波形の振幅及び再現性が、対象者の通常時と比較して変動していることを検出した場合は、対象者Ｍが上方に手を伸ばしている状態であると推定する。本発明者は、対象者Ｍが上方に手を伸ばす状態のときは、対象者Ｍの呼吸波形の振幅及び再現性に変動が見られるとの知見を得た。このため、呼吸波形の振幅及び再現性が、対象者Ｍの通常時と比較して変動していることを検出した場合は、対象者Ｍが上方に手を伸ばしている状態であると推定することにより、対象者Ｍが上方に手を伸ばしている状態を精度良く推定することができる。
【００７０】
また、睡眠状態推定装置１の演算ユニット３０は、呼吸波形の自己相関性及び再現性が、対象者Ｍの通常時と比較して変動していることを検出した場合は、対象者Ｍが会話をしている状態であると推定する。本発明者は、対象者Ｍが会話をしている状態のときは、対象者Ｍの呼吸波形の自己相関性及び再現性に変動が見られるとの知見を得た。このため、呼吸波形の自己相関性及び再現性が、対象者Ｍの通常時と比較して変動していることを検出した場合は、対象者Ｍが会話をしている状態であると推定することにより、対象者Ｍが会話をしている状態を精度良く推定することができる。
【００７１】
また、本実施形態によれば、睡眠状態推定装置１の演算ユニット３０は、呼吸波形の周期及び振幅が、対象者Ｍの通常時と比較して変動していることを検出した場合は、対象者Ｍが深呼吸をしている状態であると推定する。本発明者は、対象者Ｍが深呼吸をしている状態のときは、対象者Ｍの呼吸波形の周期及び振幅に変動が見られるとの知見を得た。このため、呼吸波形Ｍの周期及び振幅が、対象者Ｍの通常時と比較して変動していることを検出した場合は、対象者Ｍが深呼吸をしている状態であると推定することにより、対象者Ｍが深呼吸をしている状態を精度良く推定することができる。
【００７２】
また、本実施形態では、睡眠状態推定装置１の演算ユニット３０は、呼吸波形の特徴量と特徴量ごとに設定された閾値とを比較することで対象者Ｍの状態を推定するため、簡単な処理により、睡眠深度や体動等の対象者Ｍの状態を推定することが可能となる。
【００７３】
また、本実施形態では、睡眠状態推定装置１の演算ユニット３０は、対象者Ｍごとに特徴量ごとの閾値を設定する。このため、対象者Ｍごとの体質や嗜好に対応して対象者Ｍの状態を推定することが可能となる。
【００７４】
また、本実施形態では、睡眠状態推定装置１の演算ユニット３０は、車両に搭乗した対象者Ｍの状態を推定し、車両の加速度に基づいて車両の車両挙動と対象者Ｍの体動とを判別しつつ対象者Ｍの状態を推定する。このため、車両に搭乗した対象者Ｍの状態を車両挙動と体動とを判別しつつ精度良く推定することが可能となる。
【００７５】
また、本実施形態では、睡眠状態推定装置１の演算ユニット３０は、対象者Ｍの呼吸波形から対象者Ｍの呼吸方式が腹式呼吸であるか胸式呼吸であるかを判定することにより、対象者Ｍの睡眠深度を推定する。呼吸方式が腹式呼吸であるか胸式呼吸であるかは、対象者Ｍの睡眠深度と密接な関係があるため、睡眠深度を推定する精度を向上させることができる。
【００７６】
以上、本発明の実施の形態について説明したが、本発明は、上記実施形態に限定されるものではなく種々の変形が可能である。
【産業上の利用可能性】
【００７７】
本発明の睡眠状態推定装置によれば、対象者の体動をより詳細に分類することがより容易に可能となり、睡眠深度や体動等の対象者の状態を推定する精度を向上させることをより容易に実現することが可能となる。このため、詳細に推定された対象者の睡眠深度や体動の種類等に合わせて、例えば、様々なアプリケーションプログラムを対象者に対して実行し、対象者をさらに快適な状態に導くことも容易となる。
【符号の説明】
【００７８】
１  睡眠状態推定装置
１０  シート
１２  呼吸センサ
１３ａ，１３ｂ，１３ｃ  圧力センサ
１４  加速度センサ
１６，１８  呼吸バンド
２０  Ｉ／Ｆ
３０  演算ユニット
４０  ＤＢ
【図１】
2012063308.tif 000003
【図２】
2012063308.tif 000004
【図３】
2012063308.tif 000005
【図４】
2012063308.tif 000006
【図５】
2012063308.tif 000007
【図６】
2012063308.tif 000008
【図７】
2012063308.tif 000009
【図８】
2012063308.tif 000010
【図９】
2012063308.tif 000011
【図１０】
2012063308.tif 000012
【図１１】
2012063308.tif 000013
【図１２】
2012063308.tif 000014
【図１３】
2012063308.tif 000015
【図１４】
2012063308.tif 000016
【図１５】
2012063308.tif 000017
【図１９】
2012063308.tif 000018
【図２０】
2012063308.tif 000019
【図２２】
2012063308.tif 000020
【図２３】
2012063308.tif 000021
【図２４】
2012063308.tif 000022
【図２５】
2012063308.tif 000023
【図２６】
2012063308.tif 000024
【図２７】
2012063308.tif 000025
【図１６】
2012063308.tif 000026
【図１７】
2012063308.tif 000027
【図１８】
2012063308.tif 000028
【図２１】
2012063308.tif 000029
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
対象者の呼吸波形の特徴量として前記呼吸波形の周期ごとの同一性に基づいて前記対象者の状態を推定する状態推定ユニットを備え、
前記状態推定ユニットは、前記呼吸波形の周期ごとの同一性として、前記呼吸波形をｍ周期ずらした波形と元の前記呼吸波形との相違を数値化したものと、前記呼吸波形を前記ｍ周期とは異なるｎ周期ずらした波形と元の前記呼吸波形との相違を数値化したものとの相違である自己相関性に基づいて前記対象者の状態を推定する、睡眠状態推定装置。
【請求項２】
前記状態推定ユニットは、前記対象者の前記呼吸波形の周期ごとの同一性として、前記自己相関性と、前記呼吸波形の周期ごとの最低値のゆらぎである再現性とに基づいて前記対象者の状態を推定する、請求項１に記載の睡眠状態推定装置。
【請求項３】
前記状態推定ユニットは、前記対象者の前記呼吸波形の前記特徴量として前記呼吸波形の周期、振幅、前記自己相関性及び前記再現性に基づいて前記対象者の状態を推定する、請求項２に記載の睡眠状態推定装置。
【請求項４】
前記状態推定ユニットは、前記対象者の呼吸波形の特徴量に基づいて前記対象者の体動を推定する、請求項３に記載の睡眠状態推定装置。
【請求項５】
前記状態推定ユニットは、前記呼吸波形の振幅、前記自己相関性及び前記再現性が、前記対象者の通常時と比較して変動していることを検出した場合は、前記対象者が座り直している状態であると推定する、請求項４に記載の睡眠状態推定装置。
【請求項６】
前記状態推定ユニットは、前記呼吸波形の振幅及び前記再現性が、前記対象者の通常時と比較して変動していることを検出した場合は、前記対象者が上方に手を伸ばしている状態であると推定する、請求項４又は５に記載の睡眠状態推定装置。
【請求項７】
前記状態推定ユニットは、前記呼吸波形の前記自己相関性及び前記再現性が、前記対象者の通常時と比較して変動していることを検出した場合は、前記対象者が会話をしている状態であると推定する、請求項４〜６のいずれか１項に記載の睡眠状態推定装置。
【請求項８】
前記状態推定ユニットは、前記呼吸波形の周期及び振幅が、前記対象者の通常時と比較して変動していることを検出した場合は、前記対象者が深呼吸をしている状態であると推定する、請求項４〜７のいずれか１項に記載の睡眠状態推定装置。
【請求項９】
前記状態推定ユニットは、前記呼吸波形の前記特徴量と前記特徴量ごとに設定された閾値とを比較することで前記対象者の状態を推定する、請求項１〜８のいずれか１項に記載の睡眠状態推定装置。
【請求項１０】
前記状態推定ユニットは、前記対象者ごとに前記特徴量ごとの前記閾値を設定する、請求項９に記載の睡眠状態推定装置。
【請求項１１】
前記状態推定ユニットは、車両に搭乗した前記対象者の状態を推定し、前記車両の加速度に基づいて前記車両の車両挙動と前記対象者の体動とを判別しつつ前記対象者の状態を推定する、請求項１〜１０のいずれか１項に記載の睡眠状態推定装置。
【請求項１２】
前記状態推定ユニットは、前記対象者の前記呼吸波形から前記対象者の呼吸方式が腹式呼吸であるか胸式呼吸であるかを判定することにより、前記対象者の睡眠深度を推定する、請求項１〜１１のいずれか１項に記載の睡眠状態推定装置。
【国際調査報告】
2012063308.tif 000030
2012063308.tif 000031
2012063308.tif 000032
2012063308.tif 000033